(57)【要約】      （修正有）【課題】複数のツース部材を間隔調整可能に並設して異なるサイズのバケットに対応可能であるとともに、ツース部材間の隙間から土砂等が漏れ落ちることが少ないショベル機械用のバケットに付設されるツース盤を提供する。【解決手段】各々基端側に連結ピン用の穴１２ａ、２２ａ、３２ａを具備し、バケット側から突出させたアダプターが装着可能な嵌入用凹陥部１２、２２、３２を設け、突出端側に歯部１５、２５、３５を露出状態に設けた左ツース部材３１、中央ツース部材１１、及び右ツース部材２１の並設構造でバケットに付設されるツース盤１であり、中央ツース部材の突出部１４の右ツース部材の凹陥部２２に対するスライド嵌合変位、及び左ツース部材の突出部３４の中央ツース部材の凹陥部１２に対するスライド嵌合変位により、各歯部を並設方向で一直線状態を維持しつつ各ツース部材間の間隔調整を可能とするとともに、上面遮蔽部材１７、２７により、歯部領域を除く各ツース部材間の隙間を遮蔽する。【選択図】図１
0003200239.tif 000002
【実用新案登録請求の範囲】
【請求項１】
各々基端側に連結ピン用のピン穴を具備し、バケット側から突出させたアダプターが装着可能な嵌入用凹陥部を設け、各々突出端側に掘削用の土砂等に食い込ませる歯部を露出状態に設けた複数個のツース部材の並設構造でショベル機械用のバケットに付設されるツース盤であって、
前記複数個のツース部材のうち、両側面部に隣り合わせで他のツース部材が並設されるツース部材の一方の側面部に間隔調整用突出部を、他方の側面部に上面遮蔽部材及び底面部材による間隔調整用凹陥部を各々設け、
前記複数個のツース部材のうち、片側の側面部にのみ他のツース部材が並設されるツース部材には、間隔調整用突出部、又は上面遮蔽部材及び底面部材による間隔調整用凹陥部を設け、
前記両側面部に他のツース部材が並設されるツース部材の間隔調整用凹陥部に対する隣のツース部材の間隔調整用突出部のスライド嵌合変位、又は前記両側面部に他のツース部材が並設されるツース部材の間隔調整用突出部の隣のツース部材の間隔調整用凹陥部に対するスライド嵌合変位により、前記各歯部を並設方向で一直線状態を維持しつつ前記各ツース部材間の並設方向の間隔調整を各々可能とするとともに、前記各上面遮蔽部材により、前記各歯部の領域を除く各上面遮蔽部材の下側位置を占める領域の各ツース部材間の各隙間を遮蔽するようにしたことを特徴とするショベル機械用のバケットに付設されるツース盤。
【請求項２】
各々基端側に連結ピン用のピン穴を具備し、バケット側から突出させたアダプターが装着可能な嵌入用凹陥部を設け、各々突出端側に掘削用の土砂等に食い込ませる歯部を露出状態に設けた左ツース部材、中央ツース部材、及び右ツース部材の並設構造でショベル機械用のバケットに付設されるツース盤であって、
前記ツース盤の突出端側から見て、前記右ツース部材の中央ツース部材側の左側面部に上面を土砂等が基端側から突出端側に流落可能な形状とした上面遮蔽部材と、この上面遮蔽部材と一定間隔を有し前記歯部と段違いで連なる底面部材とによる前記中央ツース部材用の間隔調整用凹陥部を設け、
前記左ツース部材の中央ツース部材側の右側面部に中央ツース部材の左側面部内に嵌入する間隔調整用突出部を設け、
前記中央ツース部材の前記右ツース部材側の右側面部に前記右ツース部材の間隔調整用凹陥部にスライド嵌入する間隔調整用突出部を設け、前記中央ツース部材の前記左ツース部材側の左側面部に上面を土砂等が基端側から突出端側に流落可能な形状とした上面遮蔽部材と、この上面遮蔽部材と一定間隔を有し前記歯部と段違いで連なる底面部材とによる間隔調整用凹陥部を設け、
前記中央ツース部材の間隔調整用突出部の前記右ツース部材の間隔調整用凹陥部に対するスライド嵌合変位、及び前記左ツース部材の間隔調整用突出部の前記中央ツース部材の間隔調整用凹陥部に対するスライド嵌合変位により、前記各歯部を並設方向で一直線状態を維持しつつ前記右ツース部材と中央ツース部材間、及び前記左ツース部材と中央ツース部材間の並設方向の間隔調整を各々可能とするとともに、前記各上面遮蔽部材により、前記各歯部の領域を除く各上面遮蔽部材の下側位置を占める領域の前記右ツース部材と中央ツース部材間、及び前記左ツース部材と中央ツース部材間の各隙間を遮蔽するようにしたことを特徴とするショベル機械用のバケットに付設されるツース盤。
【請求項３】
前記各ツース部材の嵌入用凹陥部には、前記バケット側から突出させたアダプターが同軸配置で装着されることを特徴とする請求項１又は２記載のショベル機械用のバケットに付設されるツース盤。
【請求項４】
前記各ツース部材は、両側面部に隣り合わせで他のツース部材が並設されるツース部材を２個以上並設し、４連並設以上の多連並設構造であることを特徴とする請求項１乃至３のいずれか１項に記載のショベル機械用のバケットに付設されるツース盤。
【請求項５】
請求項１乃至４のいずれか１項に記載のツース盤を備えることを特徴とするショベル機械用のバケット。
【考案の詳細な説明】
【技術分野】
【０００１】
本考案は、土木工事等に使用するショベル機械用のバケットに付設されるツース盤及び該ツース盤を備えるショベル機械用のバケットに関し、詳しくは、複数のツース部材を間隔調整可能に並設して異なるサイズのバケットに対応可能であるとともに、当該間隔調整を行った場合においても作業効率の低下を招くことのないショベル機械用のバケットに付設されるツース盤及び該ツース盤を備えるショベル機械用のバケットに関するものである。
【背景技術】
【０００２】
従来、パワーショベルやショベルローダなどのショベル機械のバケットには、その底部先端位置にアダプター部材の基部を溶接その他の方法により止着し、このアダプター部材―に整地作業用のツース盤の係合凹部を被嵌し、ロックピン部材などの固定手段によりアダプター部材とツース盤とを一体的に固定し、これにより、掘削した土砂や砂利や岩片などの整地や運搬車などへの積み込みを行っていた。
【０００３】
この種のツース盤においては、異なるサイズのバケットに対応するために複数のツース部材を間隔調整可能に並設して、その全幅が広狭に変更可能であることが好ましい。
【０００４】
特許文献１には、本考案の関連技術として、ショベル系掘削機のバケットの掘削縁部にアダプターを介して着脱自在に突設されるツース部材であって、上記ツース部材は上記アダプターが嵌入可能な嵌入凹部及び掘削作用をなす歯板部からなり、該嵌入凹部の裏側の左右方向の一方部に間隙設定部を突設し、該間隙設定部の一方側部に該歯板部を構成する差込板部を形成し、該間隙設定部の他方側部に該歯板部を構成する裏側板部を形成し、該嵌入凹部の他方側部に該裏側板部との間に該差込板部を差込可能な差込間隙を存して押さえ板部を突設する構成としたショベル系掘削機用ツース部材が開示されている。
【０００５】
しかし、特許文献１のショベル系掘削機用ツース部材においては、嵌入凹部の裏側における左右方向の一方部に間隙設定部を突設し、該間隙設定部の一方側部に該歯板部を構成する差込板部を形成し、該間隙設定部の他方側部に該歯板部を構成する裏側板部を形成し、該嵌入凹部の他方側部に該裏側板部との間に該差込板部を差込可能な差込間隙を存して押さえ板部を突設し、このツース部材を複数個並設して前記間隙設定部と差込板部との嵌め合い構造で複数個並設してツース盤とするものである。
【０００６】
このため、このような構成のツース盤においては、間隙設定部や差込板部の上面は露出し何等の遮蔽部材は存在しないため、このツース盤を使用して土砂等の掘削作業を行う際に、前記間隙設定部と差込板部との嵌め合い位置を調整して隣り合うツース部材の間の間隔を調整し全体の並設方向の幅を広げたような場合、差込板部の嵌め込み先端側と間隙設定部の最奥部との間に隙間が生じ、この隙間からの土砂の漏れ落ちる量が増え、土砂等の掘削作業効率を低下させたり、間隙設定部の最奥部に付着した土砂の除去作業が必要になるという問題を包含し、かつ、ショベル系掘削機用のバケットエッジ（リップ部）が掘削作業時に露出することから、該バケットエッジ（リップ部）の摩耗が生ずるという問題をも包含している。
【先行技術文献】
【特許文献】
【０００７】
【特許文献１】特開２０１０−６５４２１号公報
【考案の概要】
【考案が解決しようとする課題】
【０００８】
本考案が解決しようとする問題点は、複数のツース部材を間隔調整可能に並設して異なるサイズのバケットに対応可能であるとともに、間隔調整を行った場合においても複数のツース部材間の隙間から土砂等が漏れ落ちることが少なく作業効率の低下を招くことがなく、かつ、アダプターのピッチが広い場合においても、バケットエッジ（リップ部）を保護する機能を併せ持つようなショベル機械用のバケットに付設されるツース盤が従来存在しない点である。
【課題を解決するための手段】
【０００９】
本考案に係るショベル機械用のバケットに付設されるツース盤は、複数のツース部材を間隔調整可能に並設して異なるサイズのバケットに対応可能であるとともに、間隔調整を行った場合においても複数のツース部材間の隙間から土砂等が漏れ落ちることが少なく作業効率の低下を招くことがなく、かつ、バケットエッジ（リップ部）の保護機能を併せ持つショベル機械用のバケットを提供するという目的を、各々基端側に連結ピン用のピン穴を具備し、バケット側から突出させたアダプターが装着可能な嵌入用凹陥部を設け、各々突出端側に掘削用の土砂等に食い込ませる歯部を露出状態に設けた複数個のツース部材の並設構造でショベル機械用のバケットに付設されるツース盤であって、前記複数個のツース部材のうち、両側面部に隣り合わせで他のツース部材が並設されるツース部材の一方の側面部に間隔調整用突出部を、他方の側面部に上面遮蔽部材及び底面部材による間隔調整用凹陥部を各々設け、前記複数個のツース部材のうち、片側の側面部にのみ他のツース部材が並設されるツース部材には、間隔調整用突出部、又は上面遮蔽部材及び底面部材による間隔調整用凹陥部を設け、前記両側面部に他のツース部材が並設されるツース部材の間隔調整用凹陥部に対するその隣のツース部材の間隔調整用突出部のスライド嵌合変位、又は前記両側面部に他のツース部材が並設されるツース部材の間隔調整用突出部のその隣のツース部材の間隔調整用凹陥部に対するスライド嵌合変位により、前記各歯部を並設方向で一直線状態を維持しつつ前記各ツース部材間の並設方向の間隔調整を各々可能とするとともに、前記各上面遮蔽部材により、前記各歯部の領域を除く各上面遮蔽部材の下側位置を占める領域の各ツース部材間の各隙間を遮蔽するようにしたとともに、バケットエッジ（リップ部）の保護機能を併せ持ったことを最も主要な特徴とする。
【考案の効果】
【００１０】
請求項１記載の考案によれば、土砂等の掘削作業における作業効率の向上を図ることができ、使用後の土砂洗浄作業も簡略であり、更に、一台でサイズが広狭に異なるバケットに対しても各ツース部材の間隔調整により柔軟に対応できるという優れた機能を有するショベル機械用のバケットに付設されるツース盤を実現し、提供することができる。
【００１１】
請求項２記載の考案によれば、中央ツース部材の両側に右ツース部材、左ツース部材を並設した３連構造として、土砂等の掘削作業における作業効率の向上を図ることができ、使用後の土砂洗浄作業も簡略であり、更に、一台でサイズが広狭に異なるバケットに対しても各ツース部材の間隔調整により柔軟に対応できるという優れた機能を有するショベル機械用のバケットに付設されるツース盤を実現し、提供することができる。
【００１２】
請求項３記載の考案によれば、請求項１又は２記載の考案の効果を奏し、かつ、各ツース部材の嵌入用凹陥部には、前記バケット側から突出させたアダプターが同軸配置で装着される構成としているので、バケット等の製造会社純正のツースと同様な使用感覚、作業性を実現することができるショベル機械用のバケットに付設されるツース盤を実現し、提供することができる。
【００１３】
請求項４記載の考案によれば、請求項１乃至３のいずれかに記載の考案の効果を奏するとともに、各ツース部材のうち、両側面部に隣り合わせで他のツース部材が並設されるツース部材を２個以上並設し、４連並設以上の多連並設構造とすることにより、一台でサイズが広狭に大きく異なる各種バケットに対しても柔軟に対応できるという優れた機能を有するショベル機械用のバケットに付設されるツース盤を実現し、提供することができる。
【００１４】
請求項５記載の考案によれば、請求項１乃至４のいずれかに記載の考案の効果を発揮し、土砂等の掘削作業時の作業効率に優れ、使用後の土砂洗浄作業の簡略化を図ることができるという斬新な機能を発揮するショベル機械用のバケットを実現し提供することができる。
【図面の簡単な説明】
【００１５】
【図１】図１は本考案の実施例に係るショベル機械用のバケットに付設されるツース盤において中央ツース部材の両側に右ツース部材、左ツース部材を装着した状態の概略斜視図である。
【図２】図２は本実施例に係るツース盤において中央ツース部材、右ツース部材、左ツース部材を分離状態とした概略斜視図である。
【図３】図３は本実施例に係るツース盤における中央ツース部材の正面図、平面図、底面図、左側面図、右側面図及び背面図の各図を示すものである。
【図４】図４は本実施例に係るツース盤における右ツース部材の正面図、平面図、底面図、左側面図、右側面図及び背面図の各図を示すものである。
【図５】図５は本実施例に係るツース盤における左ツース部材の正面図、平面図、底面図、左側面図、右側面図及び背面図の各図を示すものである。
【図６】図６は本実施例に係るツース盤における例えば中央ツース部材をアダプターに装着した状態を示す概略断面図である。
【図７】図７は本実施例に係るツース盤において中央ツース部材、右ツース部材、左ツース部材を嵌合状態で並設方向の幅寸法を最小幅とした状態の概略平面図である。
【図８】図８は本実施例に係るツース盤において中央ツース部材、右ツース部材、左ツース部材を嵌合状態で中央ツース部材、右ツース部材、左ツース部材相互間の並設方向の間隔を広げた状態の概略平面図である。
【図９】図９は本実施例に係るツース盤を備えるショベル機械用のバケットの概略平面図である。
【考案を実施するための形態】
【００１６】
本考案は、複数のツース部材を間隔調整可能に並設して異なるサイズのバケットに対応可能であるとともに、間隔調整を行った場合においても複数のツース部材間の隙間から土砂等が漏れ落ちることが少なく、かつ、アダプターのピッチが広い場合においても、バケットエッジ（リップ部）の保護機能を併せ持つことにより、該バケットエッジ（リップ部）の摩耗を低減でき、作業効率の低下を招くことのないショベル機械用のバケットに付設されるツース盤を提供するという目的を、各々基端側に連結ピン用のピン穴を具備し、バケット側から突出させたアダプターが装着可能な嵌入用凹陥部を設け、各々突出端側に掘削用の土砂等に食い込ませる歯部を露出状態に設けた左ツース部材、中央ツース部材、及び右ツース部材の並設構造でショベル機械用のバケットに付設されるツース盤であって、前記ツース盤の突出端側から見て、前記右ツース部材の中央ツース部材側の左側面部に上面を土砂等が基端側から突出端側に流落可能な形状とした上面遮蔽部材と、この上面遮蔽部材と一定間隔を有し前記歯部と段違いで連なる底面部材とによる前記中央ツース部材用の間隔調整用凹陥部を設け、前記左ツース部材の中央ツース部材側の右側面部に中央ツース部材の左側面部内に嵌入する間隔調整用突出部を設け、前記中央ツース部材の前記右ツース部材側の右側面部に前記右ツース部材の間隔調整用凹陥部にスライド嵌入する間隔調整用突出部を設け、前記中央ツース部材の前記左ツース部材側の左側面部に上面を土砂等が基端側から突出端側に流落可能な形状とした上面遮蔽部材と、この上面遮蔽部材と一定間隔を有し前記歯部と段違いで連なる底面部材とによる間隔調整用凹陥部を設け、前記中央ツース部材の間隔調整用突出部の前記右ツース部材の間隔調整用凹陥部に対するスライド嵌合変位、及び前記左ツース部材の間隔調整用突出部の前記中央ツース部材の間隔調整用凹陥部に対するスライド嵌合変位により、前記各歯部を並設方向で一直線状態を維持しつつ前記右ツース部材と中央ツース部材間、及び前記左ツース部材と中央ツース部材間の並設方向の間隔調整を各々可能とするとともに、前記各上面遮蔽部材により、前記各歯部の領域を除く各上面遮蔽部材の下側位置を占める領域の前記右ツース部材と中央ツース部材間、及び前記左ツース部材と中央ツース部材間の各隙間を遮蔽するようにした構成により実現した。
【実施例】
【００１７】
以下、本考案の実施例に係るショベル機械用のバケットに付設されるツース盤及び該ツース盤を備えるショベル機械用のバケットについて図１乃至図９を参照して詳細に説明する。
【００１８】
本実施例に係るショベル機械用のバケット５１（詳細は後述する）に付設されるツース盤（以下「ツース盤」という）１は、図１乃至図５に示すように、３連並設構造の中央ツース部材１１、右ツース部材２１、左ツース部材３１を具備し、これらをショベル機械用のバケット５１に取り付けたアダプター４１に着脱可能に付設する構成としている。
【００１９】
なお、図１において、ツース盤１に関する右、中央、左の方向性を同図に示すように定義して以下の説明を行う。
【００２０】
前記中央ツース部材１１は、図１、図２及び図３に示すように、基端側の端辺の並設方向の中央近傍から突出方向に向かって前記アダプター４１装着用の嵌入用凹陥部１２を形成するピン穴１２ａ付きの例えば四角筒状のアダプター用筒体部１３を設け、並設方向の略中央から右側を右ツース部材２１にスライド嵌入させるとともに突出端側の端辺に掘削用の土砂等に食い込ませる歯部１５を露出状態で、かつ、並設方向に備える間隔調整用突出部１４とし、並設方向の略中央から左側を左ツース部材３１用の間隔調整用凹陥部１６とした中央ツース部材本体１１Ａを具備している。
【００２１】
前記アダプター用筒体部１３内の嵌入用凹陥部１２は、前記アダプター４１の外形に対応して開口部からその内方一定の範囲が直方体状の空間で、更に、その突出端側に先細の空間を形成する形状としている。
【００２２】
そして、前記嵌入用凹陥部１２内に前記アダプター４１を装着し、前記ピン穴１２ａを貫通させた図示しないピンを前記アダプター４１に嵌着することで中央ツース部材１１をアダプター４１を介してバケット５１に付設するように構成している。
【００２３】
前記間隔調整用突出部１４は、中央ツース部材本体１１Ａの基端側に位置するアダプター用筒体部１３のピン穴１２ａの領域、及び当該ピン穴１２ａにおける領域の隣りの平坦突出部１４ｃの領域を除いて、この中央ツース部材本体１１Ａの突出方向略中央部に至る領域を斜面部領域１４ａとするとともに、この斜面部領域１４ａより突出方向側で、かつ、前記歯部１５の手前の領域までを平坦部領域１４ｂとしている。
【００２４】
前記左ツース部材３１用の間隔調整用凹陥部１６は、基端側に平坦突出部１７ｃを備えるとともに突出方向右隅部領域を前記間隔調整用突出部１４の左隅部領域上に両者が一部重合する状態で一体的に連結した上面遮蔽部材１７と、この上面遮蔽部材１７とは一定間隔を有する下方に位置し、前記歯部１５を有する間隔調整用突出部１４の左辺下部側に段違いで一体に連なる平坦な底面部材１８との間の空間領域として形成している。
【００２５】
また、上面遮蔽部材１７における平坦突出部１７ｃより突出方向略中央部に至る領域を斜面部領域１７ａとするとともに、この斜面部領域１７ａより突出方向側で、かつ、前記歯部１５の手前の領域までを平坦部領域１７ｂとしている。
【００２６】
すなわち、上面遮蔽部材１７の平坦部領域１７ｂの突出端側で前記歯部１５の上方を覆うことのない構成としている。
【００２７】
前記右ツース部材２１は、図１、図２及び図４に示すように、基端側の端辺の並設方向の中央近傍から突出方向に向かって前記アダプター４１装着用の嵌入用凹陥部２２を形成するピン穴２２ａ付きの四角筒状のアダプター用筒体部２３を設け、並設方向の略中央から右側を必要に応じて他のツース部材にスライド嵌入可能とするとともに突出端側の端辺に掘削用の土砂等に食い込ませる歯部２５を露出状態で、かつ、並設方向に備える間隔調整用突出部２４とし、並設方向の略中央から左側を前記中央ツース部材１１用の間隔調整用凹陥部２６とした右ツース部材本体２１Ａを具備している。
【００２８】
前記右ツース部材２１の基端側から突出端までの寸法は、前記中央ツース部材１１と同一としている。
【００２９】
前記嵌入用凹陥部２２、アダプター用筒体部２３は、前記中央ツース部材１１と同一の形状としている。また、前記間隔調整用突出部２４は前記間隔調整用突出部１４と略同様で、かつ、堅牢な構成としている。
【００３０】
前記中央ツース部材１１用の間隔調整用凹陥部２６は、前記間隔調整用凹陥部１６の場合と同様に、基端側に平坦突出部２７ｃを備えるとともに突出方向右隅部領域を前記間隔調整用突出部２４の左隅部領域上に両者が一部重合する状態で一体的に連結した上面遮蔽部材２７と、この上面遮蔽部材２７とは一定間隔を有する下方に位置し、前記歯部２５を有する間隔調整用突出部２４の左辺下部側に段違いで一体に連なる平坦な底面部材２８との間の空間領域として形成している。
【００３１】
また、上面遮蔽部材２７における平坦突出部２７ｃより突出方向略中央部に至る領域を斜面部領域２７ａとするとともに、この斜面部領域２７ａより突出方向側で、かつ、前記歯部２５の手前の領域までを平坦部領域２７ｂとしている。
【００３２】
すなわち、上面遮蔽部材２７の平坦部領域２７ｂの突出端側で前記歯部２５の上方を覆うことのない構成としている。
【００３３】
前記左ツース部材３１は、図１、図２及び図５に示すように、基端側の端辺の並設方向の中央近傍から突出方向に向かって前記アダプター４１装着用の嵌入用凹陥部３２を形成するピン穴３２ａ付きの四角筒状のアダプター用筒体部３３を設け、基端側に平坦突出部３６を備え、突出方向の略中央から右側を前記中央ツース部材１１の間隔調整用突出部１４にスライド嵌入可能とするとともに、突出端側の端辺全域に掘削用の土砂等に食い込ませる歯部３５を露出状態で、かつ、並設方向に備える間隔調整用突出部３４を具備し、更に、突出方向の略中央から左側に前記中央ツース部材１１の上面遮蔽部材１７の左辺と当接する段部３６を設けた左ツース部材本体３１Ａを具備する構成としている。
【００３４】
前記間隔調整用突出部３４における平坦突出部３７ｃより突出方向略中央部に至る領域を斜面部領域３７ａとするとともに、この斜面部領域３７ａより突出方向側で、かつ、前記歯部３５の手前の領域までを平坦部領域３７ｂとしている。
【００３５】
前記左ツース部材３１の基端側から突出端までの寸法は、前記中央ツース部材１１と同一としている。
【００３６】
前記嵌入用凹陥部３２、アダプター用筒体部３３は、前記中央ツース部材１１の場合と同一の形状としている。
【００３７】
図６は、同図には図示しないバケット５１の先端部であるバケットリップ部５２に取り付けたアダプター４１に対して本実施例に係るツース盤１における例えば中央ツース部材１１を前記アダプター４１と同軸配置として装着した状態を示すものである。右ツース部材２１、左ツース部材３１の場合も同様な構造としている。
【００３８】
すなわち、中央ツース部材１１の嵌入用凹陥部１２を、前記アダプター４１に嵌め着け、ピン穴１２ａからアダプター４１に設けた受孔を貫通するように連結ピン５３を打ち込むことにより、前記中央ツース部材１１とアダプター４１とを一体化するものである。
【００３９】
このとき、既述したように、中央ツース部材１１の歯部１５は、突出方向の先端部に位置し、また、前記上面遮蔽部材１７は中央ツース部材本体１１Ａの上面側に位置することになる。
【００４０】
また、中央ツース部材１１の嵌入用凹陥部１２と、アダプター４１とを同軸配置（右ツース部材２１の嵌入用凹陥部２２、左ツース部材３１の嵌入用凹陥部３２の場合も同様）とすることにより、バケット５１等の製造会社純正のツースと同様な使用感覚、作業性を実現することができる。
【００４１】
図７は、本実施例に係る既述した構成からなるツース盤１において中央ツース部材１１、右ツース部材２１、左ツース部材３１を、並設方向の全幅Ｌ１が最小幅となるようにスライド嵌合変位した状態を、図８は、本実施例に係る既述した構成からなるツース盤１において中央ツース部材１１、右ツース部材２１、左ツース部材３１を、並設方向の全幅Ｌ２が図７に示す場合よりも大（Ｌ１＜Ｌ２）となるようにスライド嵌合変位した状態を示すものである。
【００４２】
図７、図８に示すように、前記ツース盤１の並設方向の全幅調整を可能（例えば，１１０ｍｍ〜１９３ｍｍの範囲）としたことにより、１台のツース盤１のみで、複数のアダプター４１の取り付け間隔が異なる各種のバケット５１に柔軟に対応できるという広範な自由度を持ち、経済性にも優れた斬新なツース盤１を実現することができる。
【００４３】
更に、図７、図８に示すいずれの場合においても、前記中央ツース部材１１の間隔調整用突出部１４の右端辺と、右ツース部材２１の間隔調整用凹陥部２６の最奥部との間の隙間Ｇ１上は、歯部１５、２５の近辺領域を除いて右ツース部材２１の上面遮蔽部材２７により覆われ、また、中央ツース部材１１の間隔調整用凹陥部１６の最奥部と左ツース部材３１の間隔調整用突出部３４の右端辺との間の隙間Ｇ２は、歯部１５、３５の近辺領域を除いて中央ツース部材１１の上面遮蔽部材１７により覆われることになる。
【００４４】
この結果、本実施例に係るツース盤１によれば、前記ツース盤１を使用して土砂等の掘削作業時において、前記隙間Ｇ１、隙間Ｇ２の部分から土砂等が漏れ落ちることが殆どなくなり、作業効率の低下を招くことを回避でき、更に、前記隙間Ｇ１、隙間Ｇ２の殆どの部分に土砂等が付着することもなくなり使用後の土砂洗浄作業の簡略化も図ることができる。
【００４５】
以上説明した本実施例に係るツース盤１によれば、土砂等の掘削作業における作業効率の向上を図ることができ、使用後の土砂洗浄作業も簡略であり、更に、一台でサイズが広狭に異なるバケット５１に対しても各ツース部材の間隔調整により柔軟に対応できるとともに、バケットエッジ（リップ部）の保護機能を併せ持つという優れた機能を有するツース盤１を実現し、提供することができる。
【００４６】
図９は、本実施例に係るツース盤１を取り付けたショベル機械用のバケット５１を概略的に示すものであり、前記バケット５１の先端側に並設配置に取り付けた３個のアダプター４１に対して、本実施例に係るツース盤１における右ツース部材２１の嵌入用凹陥部２２、中央ツース部材１１の嵌入用凹陥部１２、左ツース部材３１の嵌入用凹陥部３２の間隔を、前記３個のアダプター４１の間隔と同一となるように調整し、これらを各々対応するアダプター４１に装着し、各連結ピン５３を用いて前記ツース盤１を前記バケット５１の先端側に一体的に、かつ、着脱可能に取り付けたものである。
【００４７】
このようなツース盤１を取り付けたショベル機械用のバケット５１によれば、このバケット５１を使用しての土砂等の掘削作業時において、既述したように、前記ツース盤１の隙間Ｇ１、隙間Ｇ２の部分から土砂等が漏れ落ちることが殆どなくなり、作業効率の低下を招くことを回避できるとともに、バケットエッジ（リップ部）の保護機能を併せ持ち、更に、前記隙間Ｇ１、隙間Ｇ２の部分に土砂等が付着することも殆どなくなるので、土砂等の掘削作業時の作業効率に優れ、使用後の土砂洗浄作業の簡略化を図ることができるという斬新な機能を発揮するショベル機械用のバケット５１を提供することができる。
【００４８】
なお、本実施例に係るツース盤１は、右ツース部材２１、左ツース部材３１の間に、中央ツース部材１１を２個以上並設して配置した４連、５連構造等々の多連並設構造として、並設方向の幅を変更することにより、幅サイズが広狭に大きく異なる各種のバケット５１に対しても柔軟に対応することができる。
【００４９】
また、本実施例に係るツース盤１の各ツース部材は、右側面部に間隔調整用突出部を、左側面部に上面遮蔽部材及び底面部材による間隔調整用凹陥部を各々設けてなるものであるが、これら各構成を左右反転状態に配置し、右側面部に上面遮蔽部材及び底面部材による間隔調整用凹陥部を、左側面部に間隔調整用突出部を各々設けてして構成しても良い。
【００５０】
また、前記歯部１５、２５、３５の刃先長を、従来例より例えば１０ｍｍ程度大きくすることで、ツース盤１自体の長寿命化を図ることも可能である。
【産業上の利用可能性】
【００５１】
本考案のツース盤は、パワーショベルやショベルローダ等の掘削等を行う作業機械に用いられる各種バケット用として広範に適用可能である。
【符号の説明】
【００５２】
１    ショベル機械用のバケットに付設されるツース盤
１１    中央ツース部材
１１Ａ  中央ツース部材本体
１２    嵌入用凹陥部
１２ａ  ピン穴
１３    アダプター用筒体部
１４    間隔調整用突出部
１４ａ  斜面部領域
１４ｂ  平坦部領域
１４ｃ  平坦突出部
１５    歯部
１６    間隔調整用凹陥部
１７    上面遮蔽部材
１７ａ  斜面部領域
１７ｂ  平坦部領域
１７ｃ  平坦突出部
１８    底面部材
２１    右ツース部材
２１Ａ  右ツース部材本体
２２    嵌入用凹陥部
２２ａ  ピン穴
２３    アダプター用筒体部
２４    間隔調整用突出部
２５    歯部
２６    間隔調整用凹陥部
２７    上面遮蔽部材
２７ａ  斜面部領域
２７ｂ  平坦部領域
２７ｃ  平坦突出部
２８    底面部材
３１    左ツース部材
３１Ａ  左ツース部材本体
３２    嵌入用凹陥部
３２ａ  ピン穴
３３    アダプター用筒体部
３４    間隔調整用突出部
３５    歯部
３６    段部
３７ａ  斜面部領域
３７ｂ  平坦部領域
３７ｃ  平坦突出部
４１    アダプター
５１    バケット
５２    バケットリップ部
５３    連結ピン
Ｇ１    隙間
Ｇ２    隙間
Ｌ１    全幅（最小幅）
Ｌ２    全幅
【図１】
0003200239.tif 000003
【図２】
0003200239.tif 000004
【図３】
0003200239.tif 000005
【図４】
0003200239.tif 000006
【図５】
0003200239.tif 000007
【図６】
0003200239.tif 000008
【図７】
0003200239.tif 000009
【図８】
0003200239.tif 000010
【図９】
0003200239.tif 000011